(57)【要約】【課題】スクロール看板において、その看板面積が大きくなり、横幅が増し上下巻取ロール幅が長くなった場合、また看板縦幅が大きくなった場合など上下ロール軸を支える箇所に印刷シート及びロールの重量負荷が集中した場合でも、何ら制約なく巻取機構が動作するスクロール看板印刷シート分割巻取機構を提供する。【解決手段】重量分割を目的として広告宣伝コンテンツ印刷シートを縦方向に複数条切分割し、分割された各シートが同期しながらスクロールするように複数ロールを個別に巻取り、巻戻し動作を行い、同時にその各ロールの重量負荷を看板構造物全体で分担して負う機構とし、既述の如きロールのたわみを防止することにより、スクロール看板大型化の障害要因を取り除く。【選択図】図２
2008298920.tif 000002
【特許請求の範囲】
【請求項１】
広告宣伝用コンテンツを複数枚連続印刷した帯状の印刷シートを巻取り若しくは巻き戻しし、サイクリックに上下スクロールすることにより同一看板面にて複数コンテンツの順次露出を可能とするスクロール看板において、
同一回転軸上に串刺し状に隣接配置された略円柱形の複数の印刷シート巻取ロールと、
隣接配置された複数の前記印刷シート巻取りロール間の回転軸露出部に配置された回転軸支持軸受と、
前記回転軸支持軸受を支持する軸受支持バーと、
複数の前記軸受支持バーを固定し、その運転重量に耐えうる機械的強度を有する耐重量軸受支持バー固定枠と、
を備えたことを特徴とするスクロール看板印刷シート分割巻取機構。スクロール
【請求項２】
前記印刷シート巻取ロールは、重量分割を目的として広告宣伝用コンテンツの前記印刷シートを縦方向に複数条切分割し、分割された各シートが同期しながらスクロールするように複数ロールを個別に巻取り若しくは巻戻し動作制御を行うことを特徴とする請求項１記載のスクロール看板印刷シート分割巻取機構。
【請求項３】
前記回転軸支持軸受は、複数の印刷シート巻取ロールを串刺し状にて支える回転軸上における印刷シート巻取ロール間の回転軸露出部に設置され、印刷シート巻取り若しくは巻戻し中の回転軸重量分割負荷及び回転軸動作を支えることを特徴とする請求項１記載のスクロール看板印刷シート分割巻取機構。
【請求項４】
前記軸受支持バーは、回転軸上の印刷シート巻取ロール間の回転軸露出部に設置され、印刷シート巻取り若しくは巻戻し中に回転軸重量分割負荷及び回転軸動作を支える前記回転軸支持軸受を支持することを特徴とする請求項１記載のスクロール看板印刷シート分割巻取機構。
【発明の詳細な説明】
【技術分野】
【０００１】
本発明は、広告宣伝用コンテンツを複数枚連続印刷した帯状のシートを巻取り若しくは巻戻しし、サイクリックに上下スクロールすることにより同一看板面にて複数コンテンツの順次露出を可能とするスクロール看板において、顧客要求によりその看板面積が大きくなり、横幅が増し上下巻取ロール幅が長くなった場合、また看板縦幅が大きくなった場合でも何ら制約なく巻取り、巻戻し動作を可能とすることを目的とする機構に関する。
【背景技術】
【０００２】
スクロール看板は、広告宣伝媒体として今後大きな普及が見込まれている。しかしながら従来の大型屋外看板に置き換わるには、現状大きな障害がある。それは、複数の広告宣伝コンテンツを印刷した帯状シートを巻取り、巻戻しする仕組みに起因している。つまり大型になれば、印刷シートの面積が増加しシート総重量も増加する、その場合それを巻取り、巻戻しする印刷シート巻取ロールも長くなり、ロールの自重も増加する、その結果としてロール中心部にたわみが生じ正常な巻取り、巻戻し制御が不可能となる。これを回避するために現状では、印刷シートの長さを短くし、シート重量を下げる、つまり広告宣伝コンテンツ数を大幅に減らす対応にて大型化に対処している。具体的に例を上げれば小型スクロール看板では、１０程度のコンテンツ露出が可能であるが、現状製作可能限界の大型の場合は、３コンテンツ程度となる。この程度のコンテンツ数になるとスクロール看板としての魅力、優位性は半減し、その商品価値すら低下しかねない状況である。
【０００３】
このような背景において発案されたのが本発明である。スクロール看板の大型化の障害となっているコンテンツ印刷シートの重量、ロール自重をロール支持点上下４箇所のみで支えるのではなく看板構造物全体で支えるべく、重量負荷を分割することにより、その大型化の障害を取り除くものである。
【０００４】
これまでは、スクロール看板に関しての大型化に就いては、大型化製作限界内において、コンテンツ数を減らし、シート重量を下げることにより、かろうじて対処してきた。またこの大型化製作限界が存在することが、スクロール看板を屋外広告宣伝大型媒体に育てることを阻んできた大きな原因であることは明らかである（例えば、特許文献１参照）。
【０００５】
【特許文献１】特開２００６−０４７５１３号公報
【発明の開示】
【発明が解決しようとする課題】
【０００６】
本発明は、看板用広告宣伝コンテンツを複数枚連続印刷した帯状のシートを巻取り、巻き戻しし、サイクリックに上下スクロールすることにより同一看板面にて複数コンテンツの順次露出を可能とするスクロール看板において、顧客要求によりその看板面積が大きくなり、横幅が増し上下巻取ロール幅が長くなった場合、また看板縦幅が大きくなった場合でも何ら制約なく巻取機構が動作することを目的としている。現状この制約が生じている理由は、看板大型化に伴い、印刷シートの面積も拡大、それに伴い、巻取り、巻戻し用の上下ロール長も長くなり、上下ロール軸を支える上下４箇所に印刷シート及びロールの重量負荷が集中する。また同時にロールは自重により中央部にたわみが生じ正常な巻取り、巻戻し制御が不可能となることである。本発明によれば、重量分割を目的として広告宣伝コンテンツ印刷シートを縦方向に複数条切分割し、分割された各シートが同期しながらスクロールするように複数ロールを個別に巻取り、巻戻し動作を行い、同時にその各ロールの重量負荷を看板構造物全体で分担して負う機構とし、既述の如きロールのたわみを防止することにより、スクロール看板大型化の障害要因を取り除くものである。この場合、印刷シートを縦方向に複数条切分割とするため、分割後のシート巻取り、巻戻し時には、シート間縦方向に若干の隙間が生じコンテンツに切れ目が生じるが、大型看板の場合は視認性において全く問題とはならない。
【課題を解決するための手段】
【０００７】
上述した課題を解決し、目的を達成するために、本発明の請求項１のスクロール看板印刷シート分割巻取機構は、看板用広告宣伝コンテンツを複数枚連続印刷した帯状のシートを巻取り、巻き戻しし、サイクリックに上下スクロールすることにより同一看板面にて複数コンテンツの順次露出を可能とするスクロール看板において、
同一回転軸上に串刺し状に近接配置された円柱形の複数印刷シート巻取ロールと
近接配置された複数印刷シート巻取りロール間の回転軸露出部に配置された回転軸支持軸受と、
回転軸支持軸受を支持する軸受支持バーと、
４）複数の軸受支持バーを固定し、その運転重量に耐えうる機械的強度を有する耐重量軸受支持バー固定枠とを備える構成とされる。
かかる構成によれば、スクロール看板大型化の障害を取り除き、その普及に貢献可能な機能を提供することができる。また、顧客要求によりその看板面積が大きくなり、横幅が増し上下巻取ロール幅が長くなった場合においても、また看板縦幅が大きくなった場合でも、何ら制約なく巻取機構が動作させることが可能である。
【０００８】
次に、本発明の請求項２のスクロール看板印刷シート分割巻取機構は、請求項１のスクロール看板印刷シート分割巻取機構において、印刷シート巻取ロールは、重量分割を目的として広告宣伝用コンテンツの前記印刷シートを縦方向に複数条切分割し、分割された各シートが同期しながらスクロールするように複数ロールを個別に巻取り若しくは巻戻し動作制御を行うことを特徴とする。
【０００９】
次に、本発明の請求項３のスクロール看板印刷シート分割巻取機構は、請求項１のスクロール看板印刷シート分割巻取機構において、前記回転軸支持軸受は、複数の印刷シート巻取ロールを串刺し状にて支える回転軸上における印刷シート巻取ロール間の僅かな回転軸露出部に設置され、印刷シート巻取り若しくは巻戻し中の回転軸重量分割負荷及び回転軸動作を支える機能を備える構成とされたことを特徴とする。
【００１０】
次に、本発明の請求項４のスクロール看板印刷シート分割巻取機構は、請求項１のスクロール看板印刷シート分割巻取機構において、前記軸受支持バーは、回転軸上の印刷シート巻取ロール間の僅かな回転軸露出部に設置され、印刷シート巻取り、巻戻し中回転軸重量分割負荷及び回転軸動作を支える回転軸支持軸受を支持しその重量、機械的ストレスに耐える機能を備える構成とされたことを特徴とする。
【００１１】
従って、本発明によれば、スクロール看板大型化の制約が解除され、今後屋外広告宣伝媒体として多くの用途開発がなされるものと確信する。
【発明を実施するための最良の形態】
【００１２】
以下に、添付図面を参照して、この発明に関わるスクロール看板印刷シート分割巻取機構の実施の形態を詳細に説明する。但し、本発明の範囲は、図示例に限定されるものではない。
【実施例１】
【００１３】
先ず、スクロール看板印刷シート分割巻取りイメージに就き、図２を基に図１を参照しながら説明する。図１が従来の方式であり、１枚の帯状印刷看板シート105をロール101／102にて巻取り、巻戻しし、看板面に露出するコンテンツをスクロールにて入れ替え表示するものである。一方、図２に示す本発明の方式は、縦方向に複数条切分割した帯状印刷看板シート201〜204を、各ロール同期回転を前提に複数ロール211〜214／215〜218にて個別に巻取り、巻戻し動作を行うものである。
【００１４】
次に、スクロール看板印刷シート分割巻取機構に就き、図３を基に説明する。図３は全体の機構を簡略化したものであるが、本発明のポイントは、ロールにかかる重量負荷をいかにして分割し、ロールのたわみを生じさせないかという点であり、その部分に就き説明する。
回転軸301上の複数の印刷シート巻取ロール211〜214／215〜218、ロール間の僅かな間隙に配置された回転軸支持軸受302、それらを支持する軸受支持バー308、それらバーを固定し、印刷シート巻取り、巻戻し中の重量、機械的ストレスに耐えうる強度を有する耐重量軸受支持バー固定枠309により構成されている。この機構によれば、重量負荷が看板全体に分割され、既述の如き課題解決が可能となる。
【００１５】
さて、これまで本発明の実施の形態に就いて説明したが、本発明は既述した実施の形態以外にも、上記特許請求の範囲に記載した技術的思想の範囲内において種々異なる実施の形態に実施されてよいものである。
【００１６】
実施例１において説明した各処理のうち、自動的に行われるものとして説明した処理の全部または一部を人為作業にて行うことも可能である。またあるいは人為的に行うものとして説明した処理の全部または一部を公知の方法で自動的に行うこともできる。この他、既述文章中や図面中で示した処理手順、具体的名称に就いては、特記する場合を除いて任意に変更することができる。
また図示した各構成要素は機能概念的なものであり、必ずしも物理的に図示の如く構成されていることを要しない。
【産業上の利用可能性】
【００１７】
本発明は、広告宣伝用としての大型スクロール看板の製作に利用できる。
【図面の簡単な説明】
【００１８】
【図１】スクロール看板印刷シート一括巻取イメージ
【図２】スクロール看板印刷シート分割巻取イメージ
【図３】スクロール看板印刷シート分割巻取機構
【符号の説明】
【００１９】
１０１  上巻取ロール
１０２  下巻取ロール
１０３  回転駆動モータ
１０４  ギア
１０５  印刷看板シート
２０１  印刷看板分割シート１／４
２０２  印刷看板分割シート２／４
２０３  印刷看板分割シート３／４
２０４  印刷看板分割シート４／４
２１１  上巻取ロール１／４
２１２  上巻取ロール２／４
２１３  上巻取ロール３／４
２１４  上巻取ロール４／４
２１５  下巻取ロール１／４
２１６  下巻取ロール２／４
２１７  下巻取ロール３／４
２１８  下巻取ロール４／４
３０１  回転軸
３０２  回転軸支持軸受
３０８  軸受支持バー
３０９  耐重量軸受支持バー固定枠
【図１】
2008298920.tif 000003
【図２】
2008298920.tif 000004
【図３】
2008298920.tif 000005